(57)【要約】      （修正有）【課題】外部通信用回路や外部通信用ソフトウエアを持たないユーザ装置に、簡単に、短期間に、低費用で、外部通信機能を付加する。【解決手段】無線ＬＡＮ機器（Ａ）又は有線ＬＡＮ機器（Ｂ）又はＵＳＢ機器（Ｃ）又はＳＤカード（Ｄ）からのデータを第１インターフェース部１を介して受け取り且つ該データをユーザ装置Ｕ１０のＣＰＵ（Ｕ１１）がメモリ信号線Ｕ１２を介してリードできるように第２インターフェース部２から送出する。また、ユーザ装置のＣＰＵがメモリ信号線を介してライトしたデータを第２インターフェース部を介して受信し、該データを第１インターフェース部から無線ＬＡＮ機器又は有線ＬＡＮ機器又はＵＳＢ機器又はＳＤカードへ送出する。【効果】ユーザ装置の利用者は、メモリに対してリード／ライトする技術さえあれば、ユーザ装置に外部通信機能を付加することが出来る。【選択図】図１
2012221434.tif 000002
【特許請求の範囲】
【請求項１】
無線ＬＡＮ通信インターフェースまたは有線ＬＡＮ通信インターフェースまたはＵＳＢインターフェースまたはＳＤカード用インターフェースの少なくとも１つを含む第１インターフェース部（１）と、ユーザ装置のＣＰＵがデータをリード／ライトしうるメモリ信号線（Ｕ１２）またはＩＯポート信号線（Ｕ２２）またはＳＰＩ信号線（Ｕ３２）のいずれかに接続しうる第２インターフェース部（２，２’，２”）と、無線ＬＡＮ機器または有線ＬＡＮ機器またはＵＳＢ機器またはＳＤカードからのデータを前記第１インターフェース部（１）を介して受け取り且つ該データを前記ユーザ装置のＣＰＵがリードできるように前記第２インターフェース部（２，２’，２”）から送出すると共に前記ユーザ装置のＣＰＵがライトしたデータを前記第２インターフェース部（２，２’，２”）を介して受け取り且つ該データを前記第１インターフェース部（１）から無線ＬＡＮ機器または有線ＬＡＮ機器またはＵＳＢ機器またはＳＤカードへ送出する制御部（３）とを具備したことを特徴する外部通信インターフェース装置（１００，１００’，１００”）。
【請求項２】
請求項１に記載の外部通信インターフェース装置（１００，１００’，１００”）において、前記第２インターフェース部（２，２’，２”）は、ユーザ装置が有するメモリ信号線（Ｕ１２）またはＩＯポート信号線（Ｕ２２）またはＳＰＩ信号線（Ｕ３２）のいずれかに接続されたユーザ装置側コネクタ（６，６’，６”）に着脱可能に結合しうるコネクタ（５，５’，５”）を有することを特徴とする外部通信インターフェース装置（１００，１００’，１００”）。
【発明の詳細な説明】
【技術分野】
【０００１】
本発明は、外部通信インターフェース装置に関し、さらに詳しくは、外部通信用回路や外部通信用ソフトウエアを持たないユーザ装置に、簡単に、短期間に、低費用で、外部通信機能を付加することが出来る外部通信インターフェース装置に関する。
【背景技術】
【０００２】
従来、通信用拡張ボード用コネクタを備えたコンピュータシステム、及び、そのコンピュータシステムの通信用拡張ボード用コネクタにアドオンすることにより外部通信機能を付加することが出来る通信用拡張ボードが知られている（例えば、特許文献１参照。）。
【先行技術文献】
【特許文献】
【０００３】
【特許文献１】特開２００３−６０６３７号公報
【発明の概要】
【発明が解決しようとする課題】
【０００４】
上記従来のコンピュータシステムでは、通信用拡張ボード用コネクタに接続するＬＡＮ用インターフェースなどの外部通信用回路が必要であり、また、その外部通信用回路を制御するためのドライバやＯＳやミドルウエアなどのソフトウエアが必要であった。
このため、ＬＡＮ用インターフェースなどの外部通信用回路を備えておらず、また、その外部通信用回路を駆動するためのドライバやＯＳやミドルウエアなどのソフトウエアも備えておらず、独自プログラムで動いているユーザ装置には、簡単には外部通信機能を付加できない問題点があった。
そこで、本発明の目的は、ＬＡＮ用インターフェースのような外部通信用回路やその外部通信用回路を制御するためのドライバやＯＳやミドルウエアのような外部通信用ソフトウエアを持たないユーザ装置に、簡単に、短期間に、低費用で、外部通信機能を付加することが出来る外部通信インターフェース装置を提供することにある。
【課題を解決するための手段】
【０００５】
第１の観点では、本発明は、無線ＬＡＮ通信インターフェースまたは有線ＬＡＮ通信インターフェースまたはＵＳＢインターフェースまたはＳＤカード用インターフェースの少なくとも１つを含む第１インターフェース部（１）と、ユーザ装置のＣＰＵがデータをリード／ライトしうるメモリ信号線（Ｕ１２）またはＩＯポート信号線（Ｕ２２）またはＳＰＩ信号線（Ｕ３２）のいずれかに接続しうる第２インターフェース部（２，２’，２”）と、無線ＬＡＮ機器または有線ＬＡＮ機器またはＵＳＢ機器またはＳＤカードからのデータを前記第１インターフェース部（１）を介して受け取り且つ該データを前記ユーザ装置のＣＰＵがリードできるように前記第２インターフェース部（２，２’，２”）から送出すると共に前記ユーザ装置のＣＰＵがライトしたデータを前記第２インターフェース部（２，２’，２”）を介して受け取り且つ該データを前記第１インターフェース部（１）から無線ＬＡＮ機器または有線ＬＡＮ機器またはＵＳＢ機器またはＳＤカードへ送出する制御部（３）とを具備したことを特徴する外部通信インターフェース装置（１００，１００’，１００”）を提供する。
上記第１の観点による外部通信インターフェース装置（１００，１００’，１００”）では、ユーザ装置のＣＰＵがメモリ信号線（Ｕ１２）またはＩＯポート信号線（Ｕ２２）またはＳＰＩ信号線（Ｕ３２）を介してデータをリード／ライトする機能をそのまま利用して外部の無線ＬＡＮ機器または有線ＬＡＮ機器またはＵＳＢ機器またはＳＤカードに対してデータをリード／ライトできるようになる。従って、ユーザ装置の利用者は、外部通信のための専門的な技術を持つ必要がなくなる。この結果、外部通信用回路や外部通信用ソフトウエアを持たないユーザ装置に、簡単に、短期間に、低費用で、外部通信機能を付加することが出来るようになる。
【０００６】
第２の観点では、本発明は、前記第１の観点による外部通信インターフェース装置（１００，１００’，１００”）において、前記第２インターフェース部（２，２’，２”）は、ユーザ装置が有するメモリ信号線（Ｕ１２）またはＩＯポート信号線（Ｕ２２）またはＳＰＩ信号線（Ｕ３２）のいずれかに接続されたユーザ装置側コネクタ（６，６’，６”）に着脱可能に結合しうるコネクタ（５，５’，５”）を有することを特徴とする外部通信インターフェース装置（１００，１００’，１００”）を提供する。
上記第２の観点による外部通信インターフェース装置（１００，１００’，１００”）では、必要な場合にだけユーザ装置にアドオンできるので、利便性が向上する。
【発明の効果】
【０００７】
本発明の外部通信インターフェース装置によれば、外部通信用回路や外部通信用ソフトウエアを備えていないユーザ装置に、簡単に、短期間に、低費用で、外部通信機能を付加することが出来る。この結果、ユーザ装置の利用者は、外部通信のための専門的な技術を持たなくても、ユーザ装置に外部通信機能を付加できる。
【図面の簡単な説明】
【０００８】
【図１】実施例１に係る外部通信インターフェース装置を示す構成説明図である。
【図２】実施例２に係る外部通信インターフェース装置を示す構成説明図である。
【図３】実施例３に係る外部通信インターフェース装置を示す構成説明図である。
【発明を実施するための形態】
【０００９】
以下、図に示す実施例により本発明をさらに詳細に説明する。なお、これにより本発明が限定されるものではない。
【００１０】
−実施例１−
図１は、実施例１に係る外部通信インターフェース装置（１００）を示す構成説明図である。
この外部通信インターフェース装置（１００）は、無線ＬＡＮ通信インターフェースまたは有線ＬＡＮ通信インターフェースまたはＵＳＢインターフェースまたはＳＤカード用インターフェースの少なくとも１つを含む第１インターフェース部（１）と、ユーザ装置（Ｕ１０）のＣＰＵ（Ｕ１１）がデータをリード／ライトしうるメモリ信号線（Ｕ１２）に接続しうる第２インターフェース部（２）と、無線ＬＡＮ機器（Ａ）または有線ＬＡＮ機器（Ｂ）またはＵＳＢ機器（Ｃ）またはＳＤカード（Ｄ）からのデータを第１インターフェース部（１）を介して受け取り且つ該データをユーザ装置（Ｕ１０）のＣＰＵ（Ｕ１１）がメモリ信号線（Ｕ１２）を介してリードできるように第２インターフェース部（２）から送出すると共にユーザ装置（Ｕ１０）のＣＰＵ（Ｕ１１）がメモリ信号線（Ｕ１２）を介してライトしたデータを第２インターフェース部（２）を介して受け取り且つ該データを第１インターフェース部（１）から無線ＬＡＮ機器（Ａ）または有線ＬＡＮ機器（Ｂ）またはＵＳＢ機器（Ｃ）またはＳＤカード（Ｄ）へ送出する制御部（３）と、無線ＬＡＮ用の無線部（４ａ）と、有線ＬＡＮ用またはＵＳＢ機器用またはＳＤカード用のコネクタ（４ｂ）とを具備している。
【００１１】
また、外部通信インターフェース装置（１００）は、第２インターフェース部（２）に接続されたコネクタ（５）を有している。このコネクタ（５）により、ユーザ装置（Ｕ１０）が有するメモリ信号線（Ｕ１２）に接続されたユーザ装置側コネクタ（６）に着脱可能に結合することが出来る。
【００１２】
ユーザ装置（Ｕ１０）は、ＣＰＵ（Ｕ１１）と、メモリ信号線（Ｕ１２）と、ＲＯＭ（Ｕ１３）と、ＲＡＭ（Ｕ１４）と、Ｉ／Ｏインターフェース（Ｕ１５）とを具備している。
【００１３】
また、ユーザ装置（Ｕ１０）は、Ｉ／Ｏインターフェース（Ｕ１５）に接続されたコネクタ（Ｕ１６）を有している。このコネクタ（Ｕ１６）により、例えば監視カメラを装備した防犯装置のような被制御装置（Ｕ５０）が有するコネクタ（Ｕ５６）に着脱可能に結合することが出来る。
【００１４】
メモリ信号線（Ｕ１２）は、８本のメモリデータバス信号線と、１本のリード信号線と、１本のライト信号線と、２本のアドレス信号線と、４本のチップセレクト信号線の計１６本の信号線からなる。
【００１５】
ユーザ装置（Ｕ１０）のＣＰＵ（Ｕ１１）は、チップセレクト信号により、外部通信インターフェース装置（１００）に対するデータのリード／ライトを制御する。
制御部（３）は、チップセレクト信号により、外部通信インターフェース装置（１００）に対するデータのリード／ライトか否かを判別する。
【００１６】
実施例１の外部通信インターフェース装置（１００）によれば、外部通信用回路や外部通信用ソフトウエアを備えていないユーザ装置（Ｕ１０）に、簡単に、短期間に、低費用で、外部通信機能を付加することが出来る。この結果、ユーザ装置（Ｕ１０）の利用者は、外部通信のための専門的な技術を持たなくても、メモリに対してリード／ライトする技術さえあれば、ユーザ装置（Ｕ１０）に外部通信機能を付加することが出来る。
【００１７】
−実施例２−
図２は、実施例２に係る外部通信インターフェース装置（１００’）を示す構成説明図である。
この外部通信インターフェース装置（１００’）は、無線ＬＡＮ通信インターフェースまたは有線ＬＡＮ通信インターフェースまたはＵＳＢインターフェースまたはＳＤカード用インターフェースの少なくとも１つを含む第１インターフェース部（１）と、ユーザ装置（Ｕ２０）のＣＰＵ（Ｕ２１）がデータをリード／ライトしうるＩＯポート信号線（Ｕ２２）に接続しうる第２インターフェース部（２’）と、無線ＬＡＮ機器（Ａ）または有線ＬＡＮ機器（Ｂ）またはＵＳＢ機器（Ｃ）またはＳＤカード（Ｄ）からのデータを第１インターフェース部（１）を介して受け取り且つ該データをユーザ装置（Ｕ２０）のＣＰＵ（Ｕ２１）がＩＯポート信号線（Ｕ２２）を介してリードできるように第２インターフェース部（２’）から送出すると共にユーザ装置（Ｕ２０）のＣＰＵ（Ｕ２１）がＩＯポート信号線（Ｕ２２）を介してライトしたデータを第２インターフェース部（２’）を介して受け取り且つ該データを第１インターフェース部（１）から無線ＬＡＮ機器（Ａ）または有線ＬＡＮ機器（Ｂ）またはＵＳＢ機器（Ｃ）またはＳＤカード（Ｄ）へ送出する制御部（３）と、無線ＬＡＮ用の無線部（４ａ）と、有線ＬＡＮ用またはＵＳＢ機器用またはＳＤカード用のコネクタ（４ｂ）とを具備している。
【００１８】
また、外部通信インターフェース装置（１００’）は、第２インターフェース部（２’）に接続されたコネクタ（５’）を有している。このコネクタ（５’）により、ユーザ装置（Ｕ２０）が有するＩＯポート信号線（Ｕ２２）に接続されたユーザ装置側コネクタ（６’）に着脱可能に結合することが出来る。
【００１９】
ユーザ装置（Ｕ２０）は、ＣＰＵ（Ｕ２１）と、ＩＯポート信号線（Ｕ２２）と、ＩＯポート信号線（Ｕ２２）に接続されたコネクタ（Ｕ２６）とを具備している。
【００２０】
また、ユーザ装置（Ｕ２０）は、コネクタ（Ｕ２６）により、例えばコンベア装置のような被制御装置（Ｕ６０）が有するコネクタ（Ｕ６６）に着脱可能に結合することが出来る。
【００２１】
ＩＯポート信号線（Ｕ２２）は、８本のポートデータバス信号線と、１本のリード信号線と、１本のライト信号線と、２本のアドレス信号線の計１２本の信号線からなる。
【００２２】
ユーザ装置（Ｕ２０）のＣＰＵ（Ｕ２１）は、アドレス信号により、外部通信インターフェース装置（１００’）に対するデータのリード／ライトを制御する。
制御部（３）は、アドレス信号により、外部通信インターフェース装置（１００’）に対するデータのリード／ライトか否かを判別する。
【００２３】
実施例２の外部通信インターフェース装置（１００’）によれば、外部通信用回路や外部通信用ソフトウエアを備えていないユーザ装置（Ｕ２０）に、簡単に、短期間に、低費用で、外部通信機能を付加することが出来る。この結果、ユーザ装置（Ｕ２０）の利用者は、外部通信のための専門的な技術を持たなくても、ＩＯポートに対してリード／ライトする技術さえあれば、ユーザ装置（Ｕ２０）に外部通信機能を付加することが出来る。
【００２４】
−実施例３−
図３は、実施例３に係る外部通信インターフェース装置（１００”）を示す構成説明図である。
この外部通信インターフェース装置（１００”）は、無線ＬＡＮ通信インターフェースまたは有線ＬＡＮ通信インターフェースまたはＵＳＢインターフェースまたはＳＤカード用インターフェースの少なくとも１つを含む第１インターフェース部（１）と、ユーザ装置（Ｕ３０）のＣＰＵ（Ｕ３１）がデータをリード／ライトしうるＳＰＩ信号線（Ｕ３２）に接続しうる第２インターフェース部（２”）と、無線ＬＡＮ機器（Ａ）または有線ＬＡＮ機器（Ｂ）またはＵＳＢ機器（Ｃ）またはＳＤカード（Ｄ）からのデータを第１インターフェース部（１）を介して受け取り且つ該データをユーザ装置（Ｕ３０）のＣＰＵ（Ｕ３１）がＳＰＩ信号線（Ｕ３２）を介してリードできるように第２インターフェース部（２”）から送出すると共にユーザ装置（Ｕ３０）のＣＰＵ（Ｕ３１）がＳＰＩ信号線（Ｕ３２）を介してライトしたデータを第２インターフェース部（２”）を介して受け取り且つ該データを第１インターフェース部（１）から無線ＬＡＮ機器（Ａ）または有線ＬＡＮ機器（Ｂ）またはＵＳＢ機器（Ｃ）またはＳＤカード（Ｄ）へ送出する制御部（３）と、無線ＬＡＮ用の無線部（４ａ）と、有線ＬＡＮ用またはＵＳＢ機器用またはＳＤカード用のコネクタ（４ｂ）とを具備している。
【００２５】
また、外部通信インターフェース装置（１００”）は、第２インターフェース部（２”）に接続されたコネクタ（５”）を有している。このコネクタ（５”）により、ユーザ装置（Ｕ３０）が有するＳＰＩ信号線（Ｕ３２）に接続されたユーザ装置側コネクタ（６”）に着脱可能に結合することが出来る。
【００２６】
ユーザ装置（Ｕ３０）は、ＣＰＵ（Ｕ３１）と、ＳＰＩ信号線（Ｕ３２）と、ＳＰＩ信号線（Ｕ３２）に接続されたコネクタ（Ｕ３６）とを具備している。
【００２７】
また、ユーザ装置（Ｕ３０）は、コネクタ（Ｕ３６）により、例えばコンベア装置のような被制御装置（Ｕ７０）が有するコネクタ（Ｕ７６）に着脱可能に結合することが出来る。
【００２８】
ＳＰＩ信号線（Ｕ３２）は、ＳＣＫ信号線と、ＭＩＳＯ信号線と、ＭＯＳＩ信号線と、２本のＳＳ信号線の計５本の信号線からなる。
【００２９】
ユーザ装置（Ｕ３０）のＣＰＵ（Ｕ３１）は、ＳＳ信号により、外部通信インターフェース装置（１００”）に対するデータのリード／ライトを制御する。
制御部（３）は、ＳＳ信号により、外部通信インターフェース装置（１００”）に対するデータのリード／ライトか否かを判別する。
【００３０】
実施例３の外部通信インターフェース装置（１００”）によれば、外部通信用回路や外部通信用ソフトウエアを備えていないユーザ装置（Ｕ３０）に、簡単に、短期間に、低費用で、外部通信機能を付加することが出来る。この結果、ユーザ装置（Ｕ３０）の利用者は、外部通信のための専門的な技術を持たなくても、ＳＰＩ機器に対してリード／ライトする技術さえあれば、ユーザ装置（Ｕ３０）に外部通信機能を付加することが出来る。
【産業上の利用可能性】
【００３１】
本発明の外部通信インターフェース装置は、例えば監視装置の制御装置に、簡単に、短期間に、低費用で、外部通信機能を付加するのに利用できる。
【符号の説明】
【００３２】
１                              第１インターフェース部
２，２’，２”                  第２インターフェース部
３                              制御部
４ａ                            無線部
４ｂ                            コネクタ
５，５’，５”                  コネクタ
６，６’，６”                  コネクタ
１００，１００’，１００”      外部通信インターフェース装置
Ｕ１０，Ｕ２０，Ｕ３０          ユーザ装置
Ｕ１１，Ｕ２１，Ｕ３１          ＣＰＵ
Ｕ１２                          メモリ信号線
Ｕ２２                          ＩＯポート信号線
Ｕ３２                          ＳＰＩ信号線
【図１】
2012221434.tif 000003
【図２】
2012221434.tif 000004
【図３】
2012221434.tif 000005